(57)【特許請求の範囲】
【請求項１】
画像を表示する表示手段と、
前記表示手段上における画像の表示を制御する制御手段とを有し、
前記制御手段は、操作者の操作に応じて複数のフレームから成る動画像ファイルの所定のフレーム数だけ進めて、又は、戻して画像を表示させる場合には、前記表示手段上の画像の輝度分布のヒストグラム情報を併せて表示させ、複数のフレームから成る動画像ファイルのフレームを自動的に進めて表示する場合には前記ヒストグラム情報を表示しないように制御することを特徴とする画像処理装置。
【請求項２】
画像を表示する表示手段と、
前記表示手段上における画像の表示を制御する制御手段とを有し、
前記制御手段は、複数のフレームにより成る動画像ファイルの先頭フレームまで戻して、又は、最終フレームまで送って画像を表示させる場合に、前記表示手段上の画像の輝度分布のヒストグラム情報を表示させることを特徴とする画像処理装置。
【請求項３】
画像を表示する表示手段上の画像表示を制御するための画像処理方法であって、
操作者の操作に応じて複数のフレームから成る動画像ファイルの所定のフレーム数だけ進めて、又は、戻して画像を表示させる場合には、前記表示手段上の画像の輝度分布のヒストグラム情報を併せて表示させ、複数のフレームから成る動画像ファイルのフレームを自動的に進めて表示する場合には前記ヒストグラム情報を表示しないように制御することを特徴とする画像処理方法。
【請求項４】
画像を表示する表示手段上の画像表示を制御するための画像処理方法であって、
複数のフレームにより成る動画像ファイルの先頭フレームまで戻して、又は、最終フレームまで送って画像を表示させる場合に、前記表示手段上の画像の輝度分布のヒストグラム情報を表示させることを特徴とする画像処理方法。
【請求項５】
画像を表示する表示手段上の画像表示を制御するための画像処理方法をコンピュータに実行させるためのプログラムを記録したコンピュータ読み取り可能な記録媒体であって、
操作者の操作に応じて複数のフレームから成る動画像ファイルの所定のフレーム数だけ進めて、又は、戻して画像を表示させる場合には、前記表示手段上の画像の輝度分布のヒストグラム情報を併せて表示させ、複数のフレームから成る動画像ファイルのフレームを自動的に進めて表示する場合には前記ヒストグラム情報を表示しないように制御するステップをコンピュータに実行させるためのプログラムを記録したコンピュータ読み取り可能な記録媒体。
【請求項６】
画像を表示する表示手段上の画像表示を制御するための画像処理方法をコンピュータに実行させるためのプログラムを記録したコンピュータ読み取り可能な記録媒体であって、
複数のフレームにより成る動画像ファイルの先頭フレームまで戻して、又は、最終フレームまで送って画像を表示させる場合に、前記表示手段上の画像の輝度分布のヒストグラム情報を表示させるステップをコンピュータに実行させるためのプログラムを記録したコンピュータ読み取り可能な記録媒体。
【請求項７】
画像を表示する表示手段上の画像表示を制御するための画像処理方法をコンピュータに実行させるためのプログラムであって、
操作者の操作に応じて複数のフレームから成る動画像ファイルの所定のフレーム数だけ進めて、又は、戻して画像を表示させる場合には、前記表示手段上の画像の輝度分布のヒストグラム情報を併せて表示させ、複数のフレームから成る動画像ファイルのフレームを自動的に進めて表示する場合には前記ヒストグラム情報を表示しないように制御するステップをコンピュータに実行させるためのプログラム。
【請求項８】
画像を表示する表示手段上の画像表示を制御するための画像処理方法をコンピュータに実行させるためのプログラムであって、
複数のフレームにより成る動画像ファイルの先頭フレームまで戻して、又は、最終フレームまで送って画像を表示させる場合に、前記表示手段上の画像の輝度分布のヒストグラム情報を表示させるステップをコンピュータに実行させるためのプログラム。
【請求項９】
画像を再生する再生手段と、
前記再生手段により再生された画像及び当該画像の輝度分布のヒストグラム情報を表示手段へと表示させる制御手段とを有し、
前記制御手段は、前記画像を静止画表示する静止画再生モード、動画再生する動画再生モードの他にフレーム単位でコマ送りするコマ送り再生モードを含む特殊再生モードを備え、前記画像を前記表示手段に対して静止画表示させる静止画再生モードの場合には、前記ヒストグラム情報の表示を可能とし、前記画像を前記表示手段に動画表示する動画再生モードの場合には、前記ヒストグラム情報の表示を禁止し、該特殊再生モードの場合には、前記ヒストグラム情報の表示が可能であるように構成されていることを特徴とする画像処理装置。
【発明の詳細な説明】
【０００１】
【発明の属する技術分野】
本発明は、静止画像や動画像を再生表示する画像処理装置、画像処理方法、記録媒体及びプログラムに関し、特に、動画像の再生制御時におけるヒストグラム表示を改善する画像処理装置、画像処理方法、記録媒体及びプログラムに関するものである。
【０００２】
【従来の技術】
従来、固体メモリ素子を有するメモリカードを記録媒体として、静止画像や動画像を記録再生する電子カメラ等の画像処理装置は既に市販されており、カラー液晶パネル等の電子ファインダーを備える電子カメラも販売されている。
【０００３】
これらの電子カメラによれば、撮影前の画像を連続して表示して電子カメラの使用者が構図を決定することや、撮影した画像を再生表示して確認することが可能である。特に、撮影した画像を撮影直後に再生する機能は利便性が高く、電子カメラの使用者にとって有益な機能となっている。
【０００４】
更に、画像再生時に撮影した画像がうまくとれているか判断する材料の一つとして撮影された画像の輝度値のヒストグラムを表示する機能を持つカメラもある。ヒストグラムを用いることで、撮影した画像の輝度に偏りが無いか簡単に確認することができる。
【０００５】
他方、デジタルカメラにおいても、静止画のみならず動画像の撮影機能をもった製品も増えている。また、動画像の録画時間や画像サイズ等も向上しており、それに伴ってコマ送りや早送りといった特殊再生機能や編集機能を持つデジタルカメラもでてきている。
【０００６】
【発明が解決しようとする課題】
しかしながら、上記のようなデジタルカメラにおいて、撮影した動画像においても、ヒストグラムを表示し、撮影内容の確認を静止画と同様に行うことが望ましい。しかし、動画再生中に絶えずヒストグラムを表示していたのでは肝心の動画再生の邪魔になる。
【０００７】
本発明は、上記問題点に鑑みてなされたものであり、動画再生中はヒストグラムの表示を無くし、コマ送りやコマ戻し等の特殊再生において表示中の画像のヒストグラムを表示する画像処理装置、画像処理方法、記録媒体及びプログラムを提供することを目的とする。
【０００８】
【課題を解決するための手段】
本発明の画像処理装置の第１の態様は、画像を表示する表示手段と、前記表示手段上における画像の表示を制御する制御手段とを有し、前記制御手段は、操作者の操作に応じて複数のフレームから成る動画像ファイルの所定のフレーム数だけ進めて、又は、戻して画像を表示させる場合には、前記表示手段上の画像の輝度分布のヒストグラム情報を併せて表示させ、複数のフレームから成る動画像ファイルのフレームを自動的に進めて表示する場合には前記ヒストグラム情報を表示しないように制御することを特徴とする。
本発明の画像処理装置の第２の態様は、画像を表示する表示手段と、前記表示手段上における画像の表示を制御する制御手段とを有し、前記制御手段は、複数のフレームにより成る動画像ファイルの先頭フレームまで戻して、又は、最終フレームまで送って画像を表示させる場合に、前記表示手段上の画像の輝度分布のヒストグラム情報を表示させることを特徴とする。
本発明の画像処理方法の第１の態様は、画像を表示する表示手段上の画像表示を制御するための画像処理方法であって、操作者の操作に応じて複数のフレームから成る動画像ファイルの所定のフレーム数だけ進めて、又は、戻して画像を表示させる場合には、前記表示手段上の画像の輝度分布のヒストグラム情報を併せて表示させ、複数のフレームから成る動画像ファイルのフレームを自動的に進めて表示する場合には前記ヒストグラム情報を表示しないように制御することを特徴とする。
本発明の画像処理装置の第２の態様は、画像を表示する表示手段上の画像表示を制御するための画像処理方法であって、複数のフレームにより成る動画像ファイルの先頭フレームまで戻して、又は、最終フレームまで送って画像を表示させる場合に、前記表示手段上の画像の輝度分布のヒストグラム情報を表示させることを特徴とする。
本発明のコンピュータ読み取り可能な記録媒体の第１の態様は、画像を表示する表示手段上の画像表示を制御するための画像処理方法をコンピュータに実行させるためのプログラムを記録したコンピュータ読み取り可能な記録媒体であって、操作者の操作に応じて複数のフレームから成る動画像ファイルの所定のフレーム数だけ進めて、又は、戻して画像を表示させる場合には、前記表示手段上の画像の輝度分布のヒストグラム情報を併せて表示させ、複数のフレームから成る動画像ファイルのフレームを自動的に進めて表示する場合には前記ヒストグラム情報を表示しないように制御するステップをコンピュータに実行させるためのプログラムを記録したことを特徴とする。
本発明のコンピュータ読み取り可能な記録媒体の第２の態様は、画像を表示する表示手段上の画像表示を制御するための画像処理方法をコンピュータに実行させるためのプログラムを記録したコンピュータ読み取り可能な記録媒体であって、複数のフレームにより成る動画像ファイルの先頭フレームまで戻して、又は、最終フレームまで送って画像を表示させる場合に、前記表示手段上の画像の輝度分布のヒストグラム情報を表示させるステップをコンピュータに実行させるためのプログラムを記録したことを特徴とする。
本発明のプログラムの第１の態様は、画像を表示する表示手段上の画像表示を制御するための画像処理方法をコンピュータに実行させるためのプログラムであって、操作者の操作に応じて複数のフレームから成る動画像ファイルの所定のフレーム数だけ進めて、又は、戻して画像を表示させる場合には、前記表示手段上の画像の輝度分布のヒストグラム情報を併せて表示させ、複数のフレームから成る動画像ファイルのフレームを自動的に進めて表示する場合には前記ヒストグラム情報を表示しないように制御するステップをコンピュータに実行させることを特徴とする。
本発明のプログラムの第２の態様は、画像を表示する表示手段上の画像表示を制御するための画像処理方法をコンピュータに実行させるためのプログラムであって、複数のフレームにより成る動画像ファイルの先頭フレームまで戻して、又は、最終フレームまで送って画像を表示させる場合に、前記表示手段上の画像の輝度分布のヒストグラム情報を表示させるステップをコンピュータに実行させることを特徴とする。
本発明の画像処理装置の第３の態様は、画像を再生する再生手段と、前記再生手段により再生された画像及び当該画像の輝度分布のヒストグラム情報を表示手段へと表示させる制御手段とを有し、前記制御手段は、前記画像を静止画表示する静止画再生モード、動画再生する動画再生モードの他にフレーム単位でコマ送りするコマ送り再生モードを含む特殊再生モードを備え、前記画像を前記表示手段に対して静止画表示させる静止画再生モードの場合には、前記ヒストグラム情報の表示を可能とし、前記画像を前記表示手段に動画表示する動画再生モードの場合には、前記ヒストグラム情報の表示を禁止し、該特殊再生モードの場合には、前記ヒストグラム情報の表示が可能であるように構成されていることを特徴とする。
【００２６】
【発明の実施の形態】
以下、本発明の実施形態を添付図面を参照しながら詳細に説明する。
【００２７】
図１は、本発明の一実施形態における画像処理装置の構成を示した図である。図１において、１００は画像処理装置である。１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００２８】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。２０は画像処理回路であり、Ａ／Ｄ変換器１６からのデータ或いはメモリ制御回路２２からのデータに対して所定の画素補間処理や色変換処理を行う。
【００２９】
また、画像処理回路２０においては、撮像した画像データを用いて所定の演算処理を行い、得られた演算結果に基づいてシステム制御回路５０が露光制御手段４０、測距制御手段４２に対して制御を行う、TTL（スルー・ザ・レンズ）方式のAF（オートフォーカス）処理、AE（自動露出）処理、ＥＦ（フラッシュプリ発光）処理を行っている。
【００３０】
さらに、画像処理回路２０においては、撮像した画像データを用いて所定の演算処理を行い、得られた演算結果に基づいてTTL方式のAWB（オートホワイトバランス）処理も行っている。２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００３１】
２４は画像表示メモリ、２６はＤ／Ａ変換器、２８はTFT、LCD等から成る画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダー機能を実現することが可能である。
【００３２】
また、画像表示部２８は、システム制御回路５０の指示により任意に表示をON/OFFすることが可能であり、表示をOFFにした場合には画像処理装置１００の電力消費を大幅に低減することが出来る。
【００３３】
３０は撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。
【００３４】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。４０は絞り機能を備えるシャッター１２を制御する露光制御手段であり、フラッシュ４８と連携することによりフラッシュ調光機能も有するものである。
【００３５】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。４８はフラッシュであり、AF補助光の投光機能、フラッシュ調光機能も有する。
【００３６】
露光制御手段４０、測距制御手段４２はTTL方式を用いて制御されており、撮像した画像データを画像処理回路２０によって演算した演算結果に基づき、システム制御回路５０が露光制御手段４０、測距制御手段４２に対して制御を行う。５０は画像処理装置１００全体を制御するシステム制御回路、５２はシステム制御回路５０の動作用の定数、変数、プログラム等を記憶するメモリである。
【００３７】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばLCDやLED、発音素子等の組み合わせにより構成されている。また、表示部５４は、その一部の機能が光学ファインダー１０４内に設置されている。
【００３８】
表示部５４の表示内容のうち、LCD等に表示するものとしては、シングルショット/連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信I/F動作表示、日付け・時刻表示、等がある。
【００３９】
また、表示部５４の表示内容のうち、光学ファインダー１０４内に表示するものとしては、合焦表示、手振れ警告表示、フラッシュ充電表示、シャッタースピード表示、絞り値表示、露出補正表示等がある。５６は電気的に消去・記録可能な不揮発性メモリであり、例えばEEPROM等が用いられる。
【００４０】
６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００４１】
ここで、これらの操作手段の具体的な説明を行う。６０はモードダイアルスイッチで、電源オフ、自動撮影モード、撮影モード、パノラマ撮影モード、再生モード、マルチ画面再生・消去モード、PC接続モード等の各機能モードを切り替え設定することが出来る。
【００４２】
６２はシャッタースイッチSW1で、不図示のシャッターボタンの操作途中でONとなり、AF（オートフォーカス）処理、AE（自動露出）処理、AWB（オートホワイトバランス）処理、ＥＦ（フラッシュプリ発光）処理等の動作開始を指示する。
【００４３】
６４はシャッタースイッチSW2で、不図示のシャッターボタンの操作完了でONとなり、撮像素子１２から読み出した信号をＡ／Ｄ変換器１６、メモリ制御回路２２を介してメモリ30に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００４４】
６６は画像表示ON/OFFスイッチで、画像表示部２８のON/OFFを設定することが出来る。この機能により、光学ファインダー１０４を用いて撮影を行う際に、TFT LCD等から成る画像表示部への電流供給を遮断することにより、省電力を図ることが可能となる。
【００４５】
６８はクイックレビューON/OFFスイッチで、撮影直後に撮影した画像データを自動再生するクイックレビュー機能を設定する。なお、本実施例では特に、画像表示部２８をOFFとした場合におけるクイックレビュー機能の設定をする機能を備えるものとする。
【００４６】
７０は各種ボタンやタッチパネル等からなる操作部で、メニューボタン、セットボタン、マクロボタン、マルチ画面再生改ページボタン、フラッシュ設定ボタン、単写/連写/セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付/時間設定ボタン等がある。
【００４７】
８０は電源制御手段で、電池検出回路、DC-DCコンバータ、通電するブロックを切り替えるスイッチ回路等により構成されており、電池の装着の有無、電池の種類、電池残量の検出を行い、検出結果及びシステム制御回路５０の指示に基づいてDC-DCコンバータを制御し、必要な電圧を必要な期間、記録媒体を含む各部へ供給する。
【００４８】
８２はコネクタ、８４はコネクタ、８６はアルカリ電池やリチウム電池等の一次電池やNiCd電池やNiMH電池、Li電池等の二次電池、ACアダプター等からなる電源手段である。
【００４９】
９０及び９４はメモリカードやハードディスク等の記録媒体とのインタフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００５０】
なお、本実施形態では記録媒体を取り付けるインタフェース及びコネクタを2系統持つものとして説明している。もちろん、記録媒体を取り付けるインタフェース及びコネクタは、単数或いは複数、いずれの系統数を備える構成としても構わない。また、異なる規格のインタフェース及びコネクタを組み合わせて備える構成としても構わない。インタフェース及びコネクタとしては、PCMCIAカードやCF（コンパクトフラッシュ（Ｒ））カード等の規格に準拠したものを用いて構成して構わない。
【００５１】
さらに、インタフェース９０及び９４、そしてコネクタ９２及び９６をPCMCIAカードやCF（コンパクトフラッシュ（Ｒ））カード等の規格に準拠したものを用いて構成した場合、LANカードやモデムカード、USBカード、IEEE1394カード、P1284カード、SCSIカード、PHS等の通信カード、等の各種通信カードを接続することにより、他のコンピュータやプリンタ等の周辺機器との間で画像データや画像データに付属した管理情報を転送し合うことが出来る。
【００５２】
１０２は、画像処理装置１００のレンズ１０を含む撮像部を覆う事により、撮像部の汚れや破損を防止するバリアである保護手段である。
【００５３】
１０４は光学ファインダーであり、画像表示部２８による電子ファインダー機能を使用すること無しに、光学ファインダーのみを用いて撮影を行うことが可能である。また、光学ファインダー１０４内には、表示部５４の一部の機能、例えば、合焦表示、手振れ警告表示、フラッシュ充電表示、シャッタースピード表示、絞り値表示、露出補正表示などが設置されている。
【００５４】
１１０は通信手段で、RS232CやUSB、IEEE1394、P1284、SCSI、モデム、LAN、無線通信、等の各種通信機能を有する。１１２は通信手段１１０により画像処理装置１００を他の機器と接続するコネクタ或いは無線通信の場合はアンテナである。２００はメモリカードやハードディスク等の記録媒体である。
【００５５】
記録媒体２００は、半導体メモリや磁気ディスク等から構成される記録部２０２、画像処理装置１００とのインタフェース２０４、画像処理装置１００と接続を行うコネクタ２０６を備えている。２１０はメモリカードやハードディスク等の記録媒体である。記録媒体２１０は、半導体メモリや磁気ディスク等から構成される記録部２１２、画像処理装置１００とのインタフェース２１４、画像処理装置１００と接続を行うコネクタ２１６を備えている。
【００５６】
次に、図２乃至図７を参照して、本実施形態における画像処理装置の動作について説明する。図２は、本実施形態の画像処理装置として適用可能なデジタルカメラの操作部材を示した図である。
【００５７】
表示ボタン２０１は画像に関する撮影情報やヒストグラムといった情報の表示・非表示を切り替える。メニューボタン２０２は撮影モードの変更や日付の設定、画像のプロテクトや削除といったメニューへ入る時に使用するボタンである。また、各種設定モードを終了する場合にも使う。決定ボタン２０３は選択項目の決定に用いる。左ボタン２０４は選択項目を左に移動する場合や画像送りに用いる。右ボタン２０５は選択項目を右に移動する場合や画像送りに用いる。電源ボタン２０６はデジタルカメラの起動と終了に用いる。モード切替スイッチ２０７は録画モードと再生モードを切り替える。シャッターボタン２０８は撮影モードで撮影する時に利用するボタンである。液晶画面２０９は画像を確認しながら撮影する場合に用いる。また撮影した画像の確認にも液晶画面２０９は用いる。
【００５８】
図３は、本実施形態における画像処理装置の処理の流れを示したフローチャートである。動画再生を行う場合、まず特殊再生を行うための動画パネルの表示を行う（ステップＳ３０１）。その後、デジタルカメラ上の部材を用いて何か動画に対する操作が行われたかチェックする（ステップＳ３０２）。何も入力が無ければステップＳ３０２に戻って入力を待ち、何か入力があればステップＳ３０３に処理を移す。
【００５９】
ステップＳ３０３では、操作内容が動画パネルによる操作終了かどうかをチェックする。動画パネルによる操作終了なら、現在のモードを終了し、違うならステップＳ３０４に処理を移す。ステップＳ３０４では入力が動画パネルに対する操作であり、動画再生が選択実行されたかどうかをチェックする。動画再生の場合はステップＳ３０５へ、違う場合はステップＳ３０７へ処理を移す。
【００６０】
ステップＳ３０５では動画パネルとヒストグラムを非表示にする。そして、動画再生を開始し（ステップＳ３０６）、処理をステップＳ３０２に移す。ステップＳ３０７では入力が動画パネルに対する操作であり、コマ送りやコマ戻しなどの特殊再生が選択実行されたかどうかチェックする。特殊再生の場合はステップＳ３０８へ、違う場合はステップＳ３０２へ処理を移す。ステップＳ３０８では特殊再生に応じたフレーム位置を計算する。頭出しなら１フレーム目、コマ送りなら次のフレームといった具合である。ステップＳ３０９では計算したフレーム位置のフレームを表示する。ステップＳ３１０では表示しているフレームのヒストグラムを求める。ステップＳ３１１で求めたヒストグラムを表示し処理をステップＳ３０２に戻す。これにより、動画像再生中はヒストグラムを非表示とし、再生以外の状態でのみヒストグラムを表示することが可能となる。
【００６１】
図４は、動画像に対してコマ送り処理を行う場合の液晶画面４０１の表示例を示した図である。画面上には表示画像の輝度に基づくヒストグラム４０２と、動画の再生やコマ送り等の操作を行う動画パネル４０３とが表示される。動画パネル４０３に対しては左ボタン２０４および右ボタン２０５で選択を変え、決定ボタン２０３で選択した処理を実行する。
【００６２】
図５は、図４の動画パネル４０３で再生を選択して実行した時の動画再生中の一表示例を示した図である。動画再生中はヒストグラムおよび動画パネルを液晶画面５０１上に非表示にする。
【００６３】
図６は動画パネルの一例を示した図である。再生ボタン６０１は動画の再生を開始する。先頭送り（頭だし）ボタン６０２は１フレーム目を表示するボタン、コマ戻しボタン６０３は表示中のフレームから１フレーム戻るボタン、コマ送りボタン６０４は表示中のフレームから１フレーム進むボタン、終端送りボタン６０５は、複数のフレームより成る動画ファイルの最終フレームを表示するボタンである。カウンター６０６には現在表示しているフレームの先頭からの経過時間が表示され、ボリュームインジケータ６０７には現在設定されている音量のレベルが表示される。６０２〜６０５のボタンが選択入力されると、特殊再生動作の指示として図３のフローチャートにて処理される。即ち、６０２〜６０５のボタンが選択入力されて、例えば、１フレームだけ進めて画像を表示させるとき、１フレームだけ戻して画像を表示させるとき、動画像ファイルの１フレーム目まで戻して画像を表示させるとき、動画像ファイルの最終フレームまで送って画像を表示させるとき等にヒストグラムが表示される。
【００６４】
図７はヒストグラムの一例を示した図である。ヒストグラムは横軸７０１に輝度値をとり、縦軸７０２には該当する輝度値を持つ画素をカウントしている。
【００６５】
以上、図１から図７を用いて本発明の一実施形態における画像処理装置の構成及び動作について説明を行った。尚、図４に示した動画パネルは、再生画像が動画像の場合に自動に出てきても良いし、決定ボタンを押すと出てきたり、再生メニュー内から表示させることも可能である。
【００６６】
図６ではコマ送り・コマ戻し処理は１フレームずつ行うとしたが、１フレームに限るものではない。また、ボタンを押しつづけることで送るフレーム数を変化させることも考えられる。
【００６７】
図７では横軸７０１に輝度値をとり、縦軸７０２には該当する輝度値を持つ画素をカウントして表示したが縦軸・横軸はこれに限るものではない。軸が変わっても問題はない。
【００６８】
なお、上記実施形態の説明に於いては、画像表示部２８をOFFする場合に、画像表示部２８を構成する全ての要素をOFFするとして説明したが、画像表示部２８の要素の一部をOFFするだけでも勿論問題ない。この場合でも、撮影画像の確認と省電力を共に行う機能を備えることが出来る。例えば、画像表示部２８がLCDとバックライトから構成されている場合、LCDがONのままバックライトのみをOFFしても、上記実施形態の説明と同様、撮影画像の確認と省電力を共に行う機能を備えることが出来る。
【００６９】
また、画像表示ON/OFFスイッチ６６とクイックレビューON/OFFスイッチ６８は、それぞれ独立した構成として説明したが、画像表示ON/OFFスイッチ６６とクイックレビューON/OFFスイッチ６８を一つの兼用スイッチとしてまとめ、画像表示ON/クイックレビューのみ画像表示ON/画像表示OFFの3ポジションを備える構成としても勿論問題ない。
【００７０】
そして、画像表示部２８によるクイックレビュー表示を終える指示を行った際に、最低時間クイックレビュー表示を継続するミニマムレビュー時間の経過を判断するとして説明したが、ミニマムレビュー時間を設定しない構成としても勿論問題無い。この場合、ミニマムレビュー時間の経過を判断する処理を除去すれば良い。
【００７１】
また、スルー表示とクイックレビュー表示を行うそれぞれ専用の画像表示部を備える構成として、それらの表示部のON/OFFを画像表示ON/OFFスイッチ及びクイックレビューON/OFFスイッチの設定に応じて行う構成としても構わない。この場合も、上記実施形態の説明と同様に、撮影画像の確認と省電力を共に行う機能を備えることが出来る。
【００７２】
そして、画像表示ON/OFFスイッチがONの場合はクイックレビューON/OFFスイッチの設定に関わらず撮影直後のクイックレビュー表示を行うものとして説明を行ったが、画像表示ON/OFFスイッチがONの場合にクイックレビューON/OFFスイッチの設定に応じてクイックレビュー表示を行うか否かを決定するようにしても構わない。
【００７３】
なお、記録媒体２００及び２１０は、PCMCIAカードやコンパクトフラッシュ（Ｒ）等のメモリカード、ハードディスク等だけでなく、マイクロDAT、光磁気ディスク、CD-RやCD-WR等の光ディスク、DVD等の相変化型光ディスク等で構成されていても勿論問題無い。
【００７４】
また、記録媒体２００及び２１０がメモリカードとハードディスク等が一体となった複合媒体であっても勿論問題無い。さらに、その複合媒体から一部が着脱可能な構成としても勿論問題無い。
【００７５】
そして、上記実施形態の説明に於いては、記録媒体２００及び２１０は画像処理装置１００と分離していて任意に接続可能なものとして説明したが、いずれか或いは全ての記録媒体が画像処理装置１００に固定したままとなっていても勿論問題無い。
【００７６】
また、画像処理装置１００に記録媒体２００或いは２１０が、単数或いは複数の任意の個数接続可能な構成であっても構わない。そして、画像処理装置１００に記録媒体２００及び２１０が装着する構成として説明したが、記録媒体は単数或いは複数の何れの組み合わせの構成であっても、勿論問題無い。
【００７７】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００７８】
この場合、記憶媒体から読み出されたプログラムコード自体が前述した実施形態の機能を実現することになり、そのプログラムコードを記憶した記憶媒体は本発明を構成することになる。
【００７９】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることが出来る。
【００８０】
また、コンピュータが読み出したプログラムコードを実行することにより、前述した実施形態の機能が実現されるだけでなく、そのプログラムコードの指示に基づき、コンピュータ上で稼動しているＯＳ(オペレーティングシステム)などが実際の処理の一部又は全部を行い、その処理によって前述した実施形態の機能が実現される場合も含まれることは言うまでもない。
【００８１】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【００８２】
【発明の効果】
本発明においては、操作者の操作に応じて複数のフレームから成る動画像ファイルの所定のフレーム数だけ進めて、又は、戻して画像を表示させる場合には、前記表示手段上の画像の輝度分布のヒストグラム情報を併せて表示させ、複数のフレームから成る動画像ファイルのフレームを自動的に進めて表示する場合には前記ヒストグラム情報を表示しないように制御するように構成したので、ヒストグラム情報が肝心の動画像上に重畳して表示され、動画像の視聴を邪魔してしまうことを回避することができる。
【図面の簡単な説明】
【図１】本発明の一実施形態における画像処理装置の構成を示した図である。
【図２】本発明の一実施形態における画像処理装置として適用可能なデジタルカメラの操作部材を示した図である。
【図３】本発明の一実施形態における画像処理装置の処理の流れを示したフローチャートである。
【図４】動画像に対してコマ送り処理を行う場合の液晶画像の表示例を示した図である。
【図５】動画パネルで再生を選択して実行した時の動画再生中の一表示例を示した図である。
【図６】動画パネルの一例を示した図である。
【図７】ヒストグラムの一例を示した図である。
【符号の説明】
２０１：表示ボタン
２０２：メニューボタン
２０３：決定ボタン
２０４：左ボタン
２０５：右ボタン
２０６：電源ボタン
２０７：モード切替スイッチ
２０８：シャッターボタン
２０９、４０１、５０１：液晶画面
４０２：ヒストグラム
４０３：動画パネル
【図１】
0004217411.tif 000002
【図２】
0004217411.tif 000003
【図３】
0004217411.tif 000004
【図４】
0004217411.tif 000005
【図５】
0004217411.tif 000006
【図６】
0004217411.tif 000007
【図７】
0004217411.tif 000008